(57)【要約】      （修正有）【課題】グレンタンクの外側オープン操作を容易にしたコンバインを提供する。【解決手段】走行装置の前方に刈取装置を設け、走行装置の上方に脱穀装置を設け、脱穀装置の側部にグレンタンクを設け、グレンタンクは機体後部所定位置に設けた縦軸中心に外側回動自在に構成すると共に、グレンタンクの前側部分にはグレンタンクの外側オープンをロックするロック機構２１を設け、ロック機構２１は脱穀装置側に軸棒状の係合部材２２とグレンタンク側に設けた係合部材２２に係合する係合フック２３を有して構成し、グレンタンクと脱穀装置の間には、ロック機構２１の操作レバーを操作するとグレンタンクを脱穀装置に対して外側オープン方向に押し出す押出機構３８を設けた。【選択図】図３
2018183116.tif 000002
【特許請求の範囲】
【請求項１】
走行装置（２）の前方に、圃場の穀稈を刈り取る刈取装置（４）を設け、走行装置（２）の上方に、刈取装置（４）に搬送エレベーター（１１）により接続された脱穀装置（３）を設け、該脱穀装置（３）の側部に脱穀装置（３）により脱穀された穀物を一時貯留するグレンタンク（５）を設け、該グレンタンク（５）は、機体後部所定位置に設けた縦軸（２０）中心に外側回動自在に構成すると共に、グレンタンク（５）の前側部分にはグレンタンク（５）の外側オープンをロックするロック機構（２１）を設け、ロック機構（２１）は、脱穀装置（３）側に軸棒状の係合部材（２２）とグレンタンク（５）側に設けた係合部材（２２）に係合する係合フック（２３）を有して構成し、グレンタンク（５）と脱穀装置（３）の間には、前記ロック機構（２１）の操作レバー（３５）を操作すると、グレンタンク（５）を脱穀装置（３）に対して外側オープン方向に押し出す押出機構（３８）を設けたコンバイン。
【請求項２】
請求項１記載の発明において、前記押出機構（３８）は脱穀装置（３）側に設けた当接部材（３９）と、前記操作レバー（３５）の解除操作により当接部材（３９）に当たって押し出す押出作用部材（４０）とにより構成したコンバイン。
【請求項３】
請求項２記載の発明において、前記押出機構（３８）の当接部材（３９）は、ロック機構（２１）の係合部材（２２）を設けた取付部材（２８）に設けたコンバイン。
【請求項４】
請求項３記載の発明において、前記押出作用部材（４０）は係合フック（２３）に別体または一体状に設けると共に、操作レバー（３５）を、グレンタンク（５）が機体からオープンする方向に操作すると、当接部材（３９）に当たって押すように配置構成したコンバイン。
【請求項５】
請求項４記載の発明において、ロック機構（２１）の係合フック（２３）は、横軸（２５）により回動自在であって、横軸（２５）の軸方向から見て、横軸（２５）と係合部材（２２）を結ぶ仮想線（Ｌ）を基準として一方側に位置するように設け、押出機構（３８）の押出作用部材（４０）は前記仮想線（Ｌ）を基準にして他方側に配置して係合フック（２３）のフック部（２６）と対峙するように設けたコンバイン。
【発明の詳細な説明】
【技術分野】
【０００１】
本発明は、コンバインに係るものである。
【背景技術】
【０００２】
従来、走行装置の前方に、圃場の穀稈を刈り取る刈取装置を設け、走行装置の上方に脱穀装置を設け、該脱穀装置の側部に脱穀装置により脱穀された穀物を一時貯留するグレンタンクを設け、該グレンタンクは、機体後部所定位置に設けた縦軸中心に外側回動自在に構成すると共に、グレンタンクの前側部分にはグレンタンクの外側オープンをロックするロック機構を設け、ロック機構は、脱穀装置側に軸棒状の係合部材とグレンタンク側に設けた係合部材に係合する係合フックを有して構成しているコンバインは、公知である（特許文献１参照）。
【先行技術文献】
【特許文献】
【０００３】
【特許文献１】特開２０１７−００００２７号公報
【発明の概要】
【発明が解決しようとする課題】
【０００４】
前記公知例は、ロック機構により機体旋回時の遠心力によりグレンタンクの自重でグレンタンクが外側オープンするのを防止できるが、ロック機構のロックを解除しても、グレンタンクの重量が重く、外側オープン操作は面倒であるという課題がある。
本願は、グレンタンクのオープン機構を工夫し、外側オープン操作を容易にしたものである。
【課題を解決するための手段】
【０００５】
請求項１記載の発明では、走行装置２の前方に、圃場の穀稈を刈り取る刈取装置４を設け、走行装置２の上方に、刈取装置４に搬送エレベーター１４により接続された脱穀装置３を設け、該脱穀装置３の側部に脱穀装置３により脱穀された穀物を一時貯留するグレンタンク５を設け、該グレンタンク５は、機体後部所定位置に設けた縦軸２０中心に外側回動自在に構成すると共に、グレンタンク５の前側部分にはグレンタンク５の外側オープンをロックするロック機構２１を設け、ロック機構２１は、脱穀装置３側に軸棒状の係合部材２２とグレンタンク５側に設けた係合部材２２に係合する係合フック２３を有して構成し、グレンタンク５と脱穀装置３の間には、前記ロック機構２１の操作レバー３５を操作すると、グレンタンク５を脱穀装置３に対して外側オープン方向に押し出す押出機構３８を設けたコンバインとしたものである。
請求項２記載の発明では、前記押出機構３８は脱穀装置３側に設けた当接部材３９と、前記操作レバー３５の解除操作により当接部材３９に当たって押し出す押出作用部材４０とにより構成したコンバインとしたものである。
請求項３記載の発明では、前記押出機構３８の当接部材３９は、ロック機構２１の係合部材２２を設けた取付部材２８に設けたコンバインとしたものである。
請求項４記載の発明では、前記押出作用部材４０は係合フック２３に別体または一体状に設けると共に、操作レバー３５を、グレンタンク５が機体からオープンする方向に操作すると、当接部材３９に当たって押すように配置構成したコンバインとしたものである。
請求項５記載の発明では、ロック機構２１の係合フック２３は、横軸２５により回動自在であって、横軸２５の軸方向から見て、横軸２５と係合部材２２を結ぶ仮想線Ｌを基準として一方側に位置するように設け、押出機構３８の押出作用部材４０は前記仮想線Ｌを基準にして他方側に配置して係合フック２３のフック部２６と対峙するように設けたコンバインとしたものである。
【発明の効果】
【０００６】
請求項１記載の発明では、グレンタンク５と脱穀装置３の間には、ロック機構２１の操作レバー３５を操作すると、グレンタンク５を外側オープン方向に押し出す押出機構３８を設けているので、操作レバー３５の操作によりロック機構２１のロック解除と同時にグレンタンク５の外側オープン方向への押し出しができて、グレンタンク５の外側オープン操作（作業）を容易にできる。
請求項２記載の発明では、押出機構３８は脱穀装置３側に設けた当接部材３９と、前記操作レバー３５の解除操作により当接部材３９に当たって押出作用する押出作用部材４０とにより構成しているので、押出機構３８を簡素に構成でき、コストダウンが図れる。
請求項３記載の発明では、押出機構３８の当接部材３９は、ロック機構２１の係合部材２２を設けた取付部材２８に設けているので、ロック機構２１の係合部材２２の支持部材を利用して押出機構３８を設けることができ、押出機構３８の当接部材３９の支持構成を簡素にでき、コストダウンが図れる。
請求項４記載の発明では、押出作用部材４０は、係合フック２３に別体または一体状に設け、押出作用部材４０は係合フック２３のフック部２６が係合部材２２から離脱すると、当接部材３９に当たって押すように配置構成しているので、操作レバー３５を操作すると、ロック機構２１のロック解除と同時にグレンタンク５の押し出しができて、グレンタンク５の外側オープン操作（作業）を容易にできる。
請求項５記載の発明では、ロック機構２１の係合フック２３は横軸２５の上側に位置させ、押出機構３８の押出作用部材４０を横軸２５の下側にフック部２６と対峙させているので、フック部２６が横軸２５中心に反時計回転方向に回動して係合部材２２から離脱すると、押出作用部材４０は横軸２５中心に時計回転方向に回動して当接部材３９に当接して、グレンタンク５を押し出すように作用させることができ、押出機構３８の押出作用部材４０をロック機構２１の係合フック２３に簡単に組み込み構成することができ、コストダウンできる。また、横軸２５を基準に、フック部２６は横軸２５の上側に、押出作用部材４０は横軸２５の下側に配置しているので、押出作用部材４０と当接部材３９の構成をコンパクトにすることができる。
【図面の簡単な説明】
【０００７】
【図１】コンバインの側面図。
【図２】グレンタンクの正面図。
【図３】グレンタンクのロック機構の正面図。
【図４】同分解状態概略斜視図。
【図５】グレンタンクの一部正面図。
【図６】同概略斜視図。
【図７】同一部縦断正面図。
【図８】操縦部の一部分解斜視図。
【図９】同一部分解斜視図。
【図１０】操縦部の冷却ファンの分解斜視図。
【図１１】操縦部の前側操作パネル部分の一部分解斜視図。
【図１２】同分解斜視図。
【発明を実施するための形態】
【０００８】
本発明の一実施形態を図面により説明すると、１は機体フレ−ム、２は機体フレ−ム１の下方位置に設けた走行装置、３は機体フレ−ム１の上方位置に設けた脱穀装置、４は機体フレ−ム１の前方に設けた刈取装置、５は前記脱穀装置３の側部に設けた該脱穀装置３より取出された穀物を一時貯留するグレンタンク、６は操縦部である（図１）。
刈取装置４は、オーガテーブル７に分草装置８と刈刃９とリール１０を有して構成している。テーブル７には搬送エレベーター１１の先端を取付け、搬送エレベーター１１の基部は脱穀装置３の脱穀室に接続する（図１）。
脱穀装置３内には、脱穀室を設け、脱穀室の下方に揺動選別棚を設け、揺動選別棚の下方に一番コンベアと二番コンベアをそれぞれ設け、一番コンベアの終端に前記グレンタンク５に穀粒を供給する一番揚穀筒１５の上部の供給口１６を接続する（図２）。
【０００９】
前記グレンタンク５内には、図示は省略するが、グレンタンク５内の穀粒を排出する排出螺旋１７Ａを設け、排出螺旋１７Ａの終端は、前記機体フレーム１に設けた接続メタル１７内に臨ませる。接続メタル１７には排出用縦揚穀装置１８の下部を接続し、排出用縦揚穀装置１８の上部には排出オーガ１９の基部を接続する。
前記グレンタンク５は、後部所定位置に設けた縦軸２０中心に外側回動（外側オープン）自在に構成し、グレンタンク５の前側部分にはグレンタンク５の外側オープンをロックするロック機構２１を設ける（図２）。
グレンタンク５のロック機構２１は、脱穀装置３側に軸棒状の係合部材２２を設け、係合部材２２に係合する係合フック２３をグレンタンク５側に設ける。
【００１０】
そのため、機体旋回時の遠心力によりグレンタンク５の自重でグレンタンク５が外側オープンするのをロック機構２１が防止する。
係合フック２３はグレンタンク５に設けた取付部材２４に横軸２５により回動自在に取付け（図３、図４）、横軸２５よりも上方にフック部２６を設け、フック部２６の内側に係合溝２７を設けて構成している。係合フック２３は、フック部２６の係合溝２７が係合部材２２に上方から嵌合して係合する。
ロック機構２１の係合部材２２は一番揚穀筒１５の上部に設けた取付部材２８に設ける。
２９は係合フック２３を係合部材２２に案内する案内部材である。
【００１１】
グレンタンク５の前板３０にはロック機構２１の操作機構３１を設ける。係合フック２３のフック部２６の反対側の端部には操作伝達ロッド３２の上部を取付け、操作伝達ロッド３２の下部はアーム３３の一端に取付ける（図２）。アーム３３は中間部を軸３４により前板３０に回動自在に取付け、アーム３３の他端には操作レバー３５を設ける。
そのため、操作レバー３５を手前に引くと、アーム３３を時計回転方向に回動させ、アーム３３は操作伝達ロッド３２を牽引し、操作伝達ロッド３２は係合フック２３を横軸２５中心に反時計回転方向に回動させ、これにより、係合フック２３のフック部２６が係合部材２２から離脱してロック機構２１のロック解除する。
【００１２】
しかして、グレンタンク５と脱穀装置３の間には、ロック機構２１の操作レバー３５を操作すると、グレンタンク５を外側オープン方向に押し出す押出機構３８を設ける（図３、図４）。押出機構３８は脱穀装置３側に設けた当接部材３９と当接部材３９に当たって押出作用する押出作用部材４０とにより構成する。
そのため、簡素に押出機構３８を構成でき、コストダウンが図れる。
当接部材３９は、前記係合部材２２を設けた取付部材２８に設ける。
そのため、ロック機構２１の係合部材２２の支持部材を利用できるので、構成を簡素にでき、コストダウンが図れる。
なお、図２において、理解を容易にするため、当接部材３９に斜線を付しているが、これにより、本発明の構成は限定されない。
押出作用部材４０は、係合フック２３に別体または一体状に設ける。
【００１３】
この場合、押出作用部材４０は係合フック２３のフック部２６が係合部材２２から離脱すると、当接部材３９に当たって押すように配置構成する。
そのため、操作レバー３５を操作すると、ロック機構２１のロック解除と同時にグレンタンク５の押し出しができて、グレンタンク５の外側オープン操作（作業）を容易にできる。
すなわち、操作レバー３５を、グレンタンク５が機体からオープンする方向である手前に引く操作力によって、押出作用部材４０が当接部材３９に当たってグレンタンク５を押し出す作用を奏するように構成する。
【００１４】
そのため、ロック機構２１の操作に影響を与えることなく、押出機構３８を作用させて、グレンタンク５の外側オープン操作全体を、容易にすることができる、合理的な構成となる。
本実施形態では、横軸２５を基準にフック部２６と対峙するように押出作用部材４０を設けている。
そのため、押出機構３８をロック機構２１に簡単に組み込み構成することができ、コストダウンできる。
すなわち、横軸２５を基準に、フック部２６は横軸２５の上側に、押出作用部材４０は横軸２５の下側に配置する。
そのため、押出作用部材４０と当接部材３９の構成をコンパクトにすることができる。
【００１５】
また、ロック機構２１の係合フック２３は、横軸２５により回動自在であって、横軸２５の軸方向から見て、横軸２５と係合部材２２を結ぶ仮想線Ｌを基準として一方側に位置するように設け、押出機構３８の押出作用部材４０は前記仮想線Ｌを基準にして他方側に配置して係合フック２３のフック部２６と対峙するように設けてもよい。
また、前記仮想線Ｌを基準として、フック部２６と押出作用部材４０とを同じ側に配置することができる。この場合、これらの部材を一方側のみに配置することで、周囲の部材との干渉を防止することができる。
【００１６】
また、係合フック２３は、横軸２５からフック部２６までの長さよりも、横軸２５から操作伝達ロッド３２との取付部分までの長さを長く設定すると共に、アーム３３の長さを、軸３４から操作伝達ロッド３２との取付部分までの長さよりも、軸３４から操作レバー３５の先端までの長さを長くなる設定とする。
すなわち、アーム３３と係合フック２３の双方が、てこ機構として構成され、二つのてこ機構を介してロック機構２１と押出作用部材４０を操作することができるので、操作力の軽減を図ることができる。
【００１７】
また、グレンタンク５の前側下方位置には、ロックピン５０を上下自在に設け（図１３）、機体フレーム１に設けた係合部材５１の係合孔に係脱自在に挿入するように構成する。
グレンタンク５の右側板（図示省略）の外側に外側側板（扉）６０を、グレンタンク５の本体に対して摺動自在に取付けると共に、取り外し自在に構成する（図６，図７）。
そのため、グレンタンク５内のメンテナンスを容易にできる。
外側側板６０の前側部分は、グレンタンク５の前板３０より前側に位置させ、操縦部６とグレンタンク５の間のカバーを兼用する構成としている。
【００１８】
外側側板６０には、係合板部６１を設け、係合板部６１はグレンタンク５に設けた係合溝６２に係合する構成とし、係合板部６１とグレンタンク５との重なり部分に固定ボルト６３を設ける（図７）。
そのため、外側側板６０をグレンタンク５に強固に固定でき、穀粒洩れを防止でき、また、外側側板６０の着脱を容易にできる。
６０Ａは外側側板６０の内面に設けた防振摩耗防止部材（インシュレーター）である。
操縦部６のフロワ６４の左側の左側側板６５の内側には断熱防振部材（インシュレーター）６６を設ける（図８）。
そのため、エンジン（図示省略）から操縦部６への熱気および振動を遮断する。
【００１９】
図９は、操縦部６のフロワ６４の下面に断熱防振部材６６を設けている。
また、フロワ６４の下方に工具を収納する収納スペース（工具箱）を設ける。
そのため、収納スペース（工具箱）内の空間により断熱効果を期待する。
また、収納スペース（工具箱）の上面をフロワ６４とし、フロワ６４は前上がり傾斜面に形成すると、着座姿勢を安楽にできて、好適である。
操縦部６の運転席８０の上方には、ファン８１を設け、ファン８１のスイッチ８２を設ける。
ファン８１とスイッチ８２はサンバイザー８３の支持フレーム８４に設ける。
前記スイッチ８２はファン８１の入切スイッチや風量調節ダイヤルにしてもよい。
また、スイッチ８２は、操縦部６の前側操作パネル８５に設けてもよい。
また、スイッチ８２は、操縦部６に設けたハンドル８６に設けてもよい。
【００２０】
（実施形態の作用）
本発明は上記構成であり、走行装置２により機体を走行させ、刈取装置４の回転するリール１０により圃場の穀稈を掻き込み、掻き込んだ穀稈を刈刃９により刈り取り、刈り取った穀稈を搬送エレベーター１１により脱穀装置３に供給搬送して脱穀する。
脱穀装置３より脱穀された穀粒は一番揚穀筒１５によりグレンタンク５に供給し、一次貯留する。
グレンタンク５内に所定量の穀粒が貯留されると、機体を走行させ、グレンタンク５に接続されている排出オーガ１９の先端を軽トラックのタンク等に合わせて排出する。
【００２１】
グレンタンク５は、後部所定位置に設けた縦軸２０中心に外側回動（外側オープン）自在に構成し、グレンタンク５の前側部分にはグレンタンク５の外側オープンをロックするロック機構２１を設けているので、穀粒排出後、操作レバー３５によりロック機構２１のロックを解除して外側オープンさせ、グレンタンク５の内側周辺および脱穀装置３の内側周辺のメンテナンスを行う。
【００２２】
グレンタンク５のロック機構２１は、脱穀装置３側に軸棒状の係合部材２２を設け、係合部材２２に係合する係合フック２３をグレンタンク５側に設け、グレンタンク５と脱穀装置３の間には、ロック機構２１の操作レバー３５を操作すると、グレンタンク５を外側オープン方向に押し出す押出機構３８を設けているので、操作レバー３５を操作すると、ロック機構２１のロック解除と同時に押出機構３８によりグレンタンク５の外側オープン方向への押し出しができて、グレンタンク５の外側オープン操作（作業）を容易にできる。
【００２３】
押出機構３８は脱穀装置３側に設けた当接部材３９と当接部材３９に当たって押出作用する押出作用部材４０とにより構成しているので、押出機構３８を簡素に構成でき、コストダウンが図れる。
押出機構３８の当接部材３９は、ロック機構２１の係合部材２２を設けた取付部材２８に設けているので、ロック機構２１の係合部材２２の支持部材を利用して押出機構３８を設けることができ、押出機構３８の当接部材３９の支持構成を簡素にでき、コストダウンが図れる。
【００２４】
押出作用部材４０は、係合フック２３に別体または一体状に設け、押出作用部材４０は係合フック２３のフック部２６が係合部材２２から離脱すると、当接部材３９に当たって押すように配置構成しているので、操作レバー３５を操作すると、ロック機構２１のロック解除と同時にグレンタンク５の押し出しができて、グレンタンク５の外側オープン操作（作業）を容易にできる。
押出機構３８は、操作レバー３５を、グレンタンク５が機体からオープンする方向である手前に引く操作力によって、押出作用部材４０が当接部材３９に当たってグレンタンク５を押し出す作用を奏するように構成しているので、ロック機構２１の操作に影響を与えることなく、押出機構３８を作用させて、グレンタンク５の外側オープン操作全体を、容易にすることができる、合理的な構成となる。
【００２５】
すなわち、操作レバー３５を手前に引くオープン操作すると、アーム３３を時計回転方向に回動させ、アーム３３は操作伝達ロッド３２を牽引し、操作伝達ロッド３２は係合フック２３を横軸２５中心に反時計回転方向に回動させ、これにより、係合フック２３のフック部２６が係合部材２２から離脱してロック機構２１のロック解除する。
一方、押出機構３８の押出作用部材４０は、ロック機構２１の係合フック２３の横軸２５を基準にフック部２６と対峙するように設けているので、フック部２６が横軸２５中心に反時計回転方向に回動して係合部材２２から離脱すると、押出作用部材４０は横軸２５中心に時計回転方向に回動して当接部材３９に当接して、グレンタンク５を押し出すように作用する。
【００２６】
そのため、押出機構３８の押出作用部材４０をロック機構２１の係合フック２３に簡単に組み込み構成することができ、コストダウンできる。
また、横軸２５を基準に、フック部２６は横軸２５の上側に、押出作用部材４０は横軸２５の下側に配置しているので、押出作用部材４０と当接部材３９の構成をコンパクトにすることができる。
【符号の説明】
【００２７】
１…機体フレ−ム、２…走行装置、３…脱穀装置、４…刈取装置、５…グレンタンク、６…操縦部、７…オーガ、８…テーブル、９…リール、１０…刈刃、１１…搬送エレベーター、１５…一番揚穀筒、１６…供給口、１７…接続メタル、１８…排出用縦揚穀装置、１９…排出オーガ、２０…縦軸、２１…ロック機構、２２…係合部材、２３…係合フック、２４…取付部材、２５…横軸、２６…フック部、２７…係合溝、２８…取付部材、３０…前板、３１…操作機構、３２…操作伝達ロッド、３３…アーム、３４…軸、３５…操作レバー、３８…押出機構、３９…当接部材、４０…押出作用部材、５０…ロックピン、５１…係合部材、６０…外側側板、６１…係合板部、６２…係合溝、６３…固定ボルト、６４…フロワ、６５…左側側板、６６…断熱防振部材、８０…運転席、８１…ファン、８２…スイッチ、８３…サンバイザー、８４…支持フレーム、８５…前側操作パネル、８６…ハンドル。
【図１】
2018183116.tif 000003
【図２】
2018183116.tif 000004
【図３】
2018183116.tif 000005
【図４】
2018183116.tif 000006
【図５】
2018183116.tif 000007
【図６】
2018183116.tif 000008
【図７】
2018183116.tif 000009
【図８】
2018183116.tif 000010
【図９】
2018183116.tif 000011
【図１０】
2018183116.tif 000012
【図１１】
2018183116.tif 000013
【図１２】
2018183116.tif 000014